【事件の表示】
　特許第５８２５８８８号発明「吸水性樹脂組成物、吸収体及び吸収性物品」の特許異議申立事件について、次のとおり決定する。
【結　論】
　特許第５８２５８８８号の特許請求の範囲を訂正請求書に添付された特許請求の範囲のとおり、訂正後の請求項〔１−３〕について訂正することを認める。
　特許第５８２５８８８号の請求項１ないし３に係る特許を維持する。
【理　由】
第１　主な手続の経緯 
　特許第５８２５８８８号の請求項１ないし３に係る特許（以下、「本件特許」という。）についての出願は、平成２３年７月５日に特許出願され、平成２７年１０月２３日に設定登録され、同年１２月２日に特許公報が発行され、その後、平成２８年６月２日付けで特許異議申立人株式会社日本触媒（以下、「特許異議申立人」という。）により特許異議の申立てがされ、同年９月２１日付けで請求項１ないし３に係る特許について取消理由が通知され、その指定期間内である同年１１月１８日付けで意見書の提出及び訂正の請求（以下、「本件訂正請求」という。）がされ、平成２９年１月６日付けで特許異議申立人に対して本件訂正請求があった旨の通知がされたが、特許異議申立人から意見書が提出されなかったものである。
　
第２　訂正の適否についての判断
　１　訂正の内容
　訂正事項１
　特許請求の範囲の請求項１に「前記キク科植物抽出物の含有量が、吸水性樹脂１００質量部に対して０．００５〜５質量部である、吸水性樹脂組成物。」とあるのを、「前記キク科植物抽出物の含有量が、吸水性樹脂１００質量部に対して０．００５〜５質量部であ
り、前記キク科植物抽出物がステビア、トウキンセンカ及びフキタンポポより選択される１種以上の抽出物を含む、
　
　２　訂正の目的の適否、一群の請求項、新規事項の有無、及び特許請求の範囲の拡張・変更の存否
　訂正事項１
（１）　訂正前の「キク科植物抽出物」について、「ステビア、トウキンセンカ及びフキタンポポより選択される１種以上の抽出物を含む」と限定するものであり、「ステビア」、「トウキンセンカ」、「フキタンポポ」はいずれもキク科植物であるから、特許法第１２０条の５第２項ただし書第１号に規定する特許請求の範囲の減縮を目的とするものである。
　
（２）　訂正前の請求項１ないし３は、請求項１の記載を、請求項２ないし３が直接・間接に引用しているものであるから、訂正前の請求項１ないし３は、一群の請求項である。
　したがって、訂正後の請求項１ないし３は、特許法第１２０条の５第４項に規定する関係を有する一群の請求項である。
　
（３）　「前記キク科植物抽出物の含有量が、吸水性樹脂１００質量部に対して０．００５〜５質量部であり、前記キク科植物抽出物がステビア、トウキンセンカ及びフキタンポポより選択される１種以上の抽出物を含む」は、願書に添付した明細書の段落【００１４】に記載されているから、新規事項の追加に該当せず、特許法第１２０条の５第９項で準用する特許法第１２６条第５項に適合する。
　
（４）　特許請求の範囲の減縮を目的とするものであって、特許請求の範囲を拡張し、又は変更するものではないから、特許法第１２０条の５第９項で準用する特許法第１２６条第６項に適合する。
　
　３　むすび 
　以上のとおりであるから、本件訂正請求による訂正は特許法第１２０条の５第２項ただし書第１号に掲げる事項を目的とするものであり、かつ、同条第４項、及び、同条第９項で準用する同法第１２６条第５項及び第６項の規定に適合するので、訂正後の請求項〔１−３〕について訂正することを認める。
　
第３　本件特許発明
　本件訂正請求により訂正された請求項１ないし３に係る発明（以下、それぞれ順に「本件特許発明１」ないし「本件特許発明３」といい、これらを総称して「本件特許発明」という。）は、特許請求の範囲の請求項１ないし３に記載された事項により特定される、以下のとおりのものである。 
　
　「【請求項１】
　吸水性樹脂とキク科植物抽出物とを含有する吸水性樹脂組成物であって、前記キク科植物抽出物の含有量が、吸水性樹脂１００質量部に対して０．００５〜５質量部であり、前記キク科植物抽出物がステビア、トウキンセンカ及びフキタンポポより選択される１種以上の抽出物を含む、吸水性樹脂組成物。
　　【請求項２】
　請求項１記載の吸水性樹脂組成物と親水性繊維とを含有する吸収体。
　　【請求項３】
　液体透過性シートと液体不透過性シートの間に請求項２記載の吸収体が保持されている吸収性物品。」
　
第４　取消理由の概要
　１　取消理由１
　本件特許は、特許請求の範囲の記載が下記の点で、特許法第３６条第６項第１号に規定する要件を満たしていない特許出願に対してされたものであるから、同法第１１３条第４号に該当し、取り消すべきものである。
　
　　　　　　　　　　　　　　　　　記
　
　本件特許発明の課題は、「抗菌、消臭性能に優れ、安全に取り扱うことができ、かつゲル安定性に優れた吸水性樹脂組成物を提供すること」（段落【０００８】）であって、かかる課題が解決されたか否かは、所定の試験（段落【００４２】ないし段落【００４７】参照）によって確認される性質のものである。
　しかるところ、発明の詳細な説明には、上記課題（「ゲル安定性」等）の解決手段として、極めて広汎な「キク科植物抽出物」（【請求項１】）のうち「ステビア、トウキンセンカ及びフキタンポポ」（段落【００１４】及び【表１】）からの抽出物を用いる旨の記載はあるものの、これら以外の「キク科植物抽出物」の場合、上記課題が解決されているのか否か不明である。
　また、発明の詳細な説明には、「ステビア、トウキンセンカ及びフキタンポポ」以外の「植物」からの抽出物によって上記課題（「ゲル安定性」等）が解決されると当業者が理解できる記載もないし、上記課題（「ゲル安定性」等）が解決されるとの出願時の技術常識があるともいえない。
　そうすると、本件特許発明は、発明の詳細な説明において上記課題（「ゲル安定性」等）が解決されることを当業者が理解できるように記載された範囲を超えているものである。
　よって、本件特許発明は、発明の詳細な説明に記載されているとはいえない。
　
　２　取消理由２
　本件特許発明１ないし３は、その出願前に日本国内において、頒布された下記の刊行物に記載された発明又は電気通信回線を通じて公衆に利用可能となった発明であるから、特許法第２９条第１項第３号に該当し、特許を受けることができない。
　よって、本件特許は、特許法第１１３条第２号に該当し、取り消されるものである。
　
　　　　　　　　　　　　　　　　　記
　
　刊行物　特表２００９−５１３５０７号公報（特許異議申立書に添付された甲第１号証）
　
第５　対比・判断
　１　取消理由１
　発明の詳細な説明には、「抗菌性や安全性、また吸水性樹脂組成物のゲル安定性に効果があることから、ステビア、トウキンセンカ及びフキタンポポが好ましい」との記載があり（段落【００１４】）、その効果も所定の試験（段落【００４２】ないし段落【００４７】参照）によって確認されているから（【表１】）、発明の詳細な説明には、本件特許発明の課題（段落【０００８】）が解決されることを当業者が理解できるように記載されているといえる。
　よって、本件特許発明は、発明の詳細な説明に記載されている。
　
　２　取消理由２
（１）刊行物には、取消理由通知書で説示したように、次の発明（以下、「引用発明」という。）が記載されている。
　
　「吸水性ポリマー及び活性物質を含有する組成物であって、
　活性物質として、吸水性ポリマー及び活性物質を含有する組成物に基づいて０．００１〜３０重量％の治療物質または傷治療物質と、
　吸水性ポリマー及び活性物質を含有する組成物に基づいて７０〜９９．９９９重量％の吸収体マトリックスと、
　を含む組成物。」
　
（２）確かに、引用発明の「治療物質または傷治療物質」は、「キク科植物抽出物」である「カミツレ抽出物」、「アルニカ・・・抽出物」及び「マリーゴールド抽出物」を含み得るものの、「ステビア、トウキンセンカ及びフキタンポポより選択される１種以上の抽出物を含む」ものではないから、この点で、本件特許発明１と相違する。
　したがって、本件特許発明１は、引用発明と異なるから、特許法第２９条第１項第３号に該当し、特許を受けることができないとはいえない。
　
（３）本件特許発明２及び３は、本件特許発明１を直接・間接に引用するものであるから、特許法第２９条第１項第３号に該当し、特許を受けることができないとはいえない。
　
　３　その他
　なお、特許異議申立人が提出した甲各号証には、「キク科植物抽出物」として「ステビア、トウキンセンカ及びフキタンポポより選択される１種以上の抽出物を含む」ものを選択する動機づけが記載ないし示唆されていないから、本件特許発明１ないし３は、特許法第２９条第２項の規定により特許を受けることができないとはいえない。
第７　むすび 
　以上のとおりであるから、特許異議の申立ての理由及び証拠によっては、本件訂正請求による訂正後の請求項１ないし３に係る特許を取り消すことができない。
　また、他に本件訂正請求による訂正後の請求項１ないし３に係る特許を取り消すべき理由を発見しない。
　よって、結論のとおり決定する。
【異議決定日】
平成２９年３月３日（２０１７．３．３）
【訂正の要旨】
審決（決定）の【理由】欄参照。
（５７）【特許請求の範囲】
　【請求項１】
　吸水性樹脂とキク科植物抽出物とを含有する吸水性樹脂組成物であって、前記キク科植物抽出物の含有量が、吸水性樹脂１００質量部に対して０．００５〜５質量部であ
り、前記キク科植物抽出物がステビア、トウキンセンカ及びフキタンポポより選択される１種以上の抽出物を含む、
　【請求項２】
　請求項１記載の吸水性樹脂組成物と親水性繊維とを含有する吸収体。
　【請求項３】
　液体透過性シートと液体不透過性シートの間に請求項２記載の吸収体が保持されている吸収性物品。